(57)【要約】【課題】プラテンローラをギアボックスから取り外したときに、ギアボックスのギアに、砂等の異物の侵入することを防ぐことのできる、プリンタおよび、それを組み込んだ携帯型端末装置を提供すること。【解決手段】プラテンローラ１をギアボックス２に取り付けるときに、プラテンローラ１の第２ギア５をギアボックス２の第１ギア３に近接させる動作により、第１カバー４を閉鎖位置から開放位置に移動させ、プラテンローラ１をギアボックス２から取り外すときに、プラテンローラ１の第２ギア５をギアボックス２の第１ギア３から離す動作により、第１カバー４を上記開放位置から上記閉鎖位置に移動させる第１カバー開閉機構を具備する。【選択図】図１
2008246987.tif 000002
【特許請求の範囲】
【請求項１】
ギアボックスと、該ギアボックスに対して着脱可能なプラテンローラを具備し、前記ギアボックスは、第１回転軸と、該第１回転軸に支持される第１ギアとを有し、前記プラテンローラは、該プラテンローラの長手方向の両端からそれぞれ延びる第２回転軸と、該第２回転軸の一方の端部に前記第１ギアと係合するように支持された第２ギアとを有している、プリンタにおいて、
前記ギアボックスに設けられ、前記第１ギアの上方に配置される第１カバーであって、前記第１ギアを覆い隠す閉鎖位置と前記第１ギアを露出させる開放位置との間で移動可能な第１カバーと、
前記プラテンローラを前記ギアボックスに取り付けるときに、前記プラテンローラの前記第２ギアを前記ギアボックスの前記第１ギアに近接させる動作により、前記第１カバーを前記閉鎖位置から前記開放位置に移動させ、前記プラテンローラを前記ギアボックスから取り外すときに、前記プラテンローラの前記第２ギアを前記ギアボックスの前記第１ギアから離す動作により、前記第１カバーを前記開放位置から前記閉鎖位置に移動させる第１カバー開閉機構と、
を具備することを特徴とするプリンタ。
【請求項２】
前記第１カバー開閉機構は、前記第２回転軸上で前記第２ギアに近接する位置に配置される押下部材であって、前記第２ギアの外周から外側へ突出する寸法を有する前記押下部材と、前記第１カバーに付設され、該第１カバーを閉鎖位置へ向けて付勢する第１バネとを有し、
前記第１カバーは、前記プラテンローラを前記ギアボックスに取り付けるときに、前記押下部材に押し下げられることで、前記閉鎖位置から前記開放位置へ移動し、前記プラテンローラを前記ギアボックスから取り外すときに、前記第１バネの付勢力により、前記開放位置から前記閉鎖位置へ移動することを特徴とする、請求項１に記載のプリンタ。
【請求項３】
前記プラテンローラを前記ギアボックスに対して揺動可能に支持する支持部材を更に有し、前記第１カバー開閉機構は、前記支持部材上で前記第２回転軸に近接する位置に形成される押下部と、前記第１カバーに付設され、該第１カバーを閉鎖位置へ向けて付勢する第１ばねとを有し、
前記第１カバーは、前記プラテンローラを前記ギアボックスに取り付けるときに、前記押下部に押し下げられることで、前記閉鎖位置から前記開放位置へ移動し、前記プラテンローラを前記ギアボックスから取り外すときに、前記第１バネの付勢力により、前記開放位置から前記閉鎖位置へ移動することを特徴とする、請求項１に記載のプリンタ。
【請求項４】
前記プラテンローラを前記ギアボックスに対して揺動可能に支持する支持部材を更に有し、前記第１カバー開閉機構は、前記支持部材の回転動作を前記第１カバーに伝達する、歯車列を有する動作伝達機構を有し、
前記第１カバーは、前記プラテンローラを前記ギアボックスに取り付けるときに、前記歯車列が回転することで、前記閉鎖位置から前記開放位置へ移動し、前記プラテンローラを前記ギアボックスから取り外すときに、前記歯車列が回転することで、前記開放位置から前記閉鎖位置へ移動することを特徴とする、請求項１に記載のプリンタ。
【請求項５】
前記第１カバーから独立して移動可能に前記ギアボックスに設けられ、前記第１回転軸及び前記第１ギアを覆い隠す閉鎖位置と前記第１回転軸及び前記第１ギアを露出させる開放位置との間で移動可能な第２カバーと、
前記プラテンローラを前記ギアボックスに取り付けるときに、前記プラテンローラの前記第２ギアを前記ギアボックスの前記第１ギアに近接させる動作により、前記第２カバーを前記閉鎖位置から前記開放位置に移動させ、前記プラテンローラを前記ギアボックスから取り外すときに、前記プラテンローラの前記第２ギアを前記ギアボックスの前記第１ギアから離す動作により、前記第２カバーを前記開放位置から前記閉鎖位置に移動させる第２カバー開閉機構とをさらに具備することを特徴とする、請求項１〜４のいずれか一項に記載のプリンタ。
【請求項６】
請求項１〜５のいずれ一項に記載のプリンタを内蔵した携帯型端末装置。
【発明の詳細な説明】
【技術分野】
【０００１】
プリンタ、およびそれを内蔵した携帯型端末装置に関する。
【背景技術】
【０００２】
特許文献１は、印字ヘッドにより用紙への印字が開始されると、モータが回転し、モータの駆動力がラック駆動ギアに伝達されて、可動蓋がバネの付勢力に抵抗して開き、印字が終了してモータが停止すると、可動蓋がバネの付勢力により閉じられる、プリンタ防水機構を開示している。
【０００３】
特許文献２は、プリンタの用紙を切断するカッターの歯形状の刃に当接し、用紙の排出時には、用紙をカッターの刃と挟む形となるように設けられる、用紙の排出方向に対して直角方向に可撓性を有する第１の遮蔽板と、カッターの上面に重ねて設けられ、用紙の排出方向に可撓性を有する第２の遮蔽板とを備え、刃とカバーの間および歯形状の刃の隙間からの装置内への異物の侵入を防ぐ、用紙出口の防塵装置を開示している。
【特許文献１】特開２００４−１７４８３７号公報
【特許文献２】特開平５−４４２０号公報
【発明の開示】
【発明が解決しようとする課題】
【０００４】
特許文献１と特許文献２ともプリンタを使用時の防水機構または防塵装置を開示しているが、プラテンローラを交換するときには、これらの防水機構または防塵装置は役に立たず、ギアボックスのギアを防塵することはできない。
【０００５】
本発明の目的は、プラテンローラを交換するために、プラテンローラをギアボックスから取り外したときに、ギアボックスのギアに、砂等の異物の侵入することを防ぐことのできるプリンタ、およびそれを内蔵した携帯型端末装置を提供することである。
【課題を解決するための手段】
【０００６】
上記目的を達成するために、本発明によれば以下のような特徴を有するプリンタ、およびそれを内蔵した携帯型端末装置が提供される。
【０００７】
請求項１の発明では、ギアボックスと、上記ギアボックスに対して着脱可能なプラテンローラを具備し、上記ギアボックスは、第１回転軸と、上記第１回転軸に支持される第１ギアとを有し、上記プラテンローラは、上記プラテンローラの長手方向の両端からそれぞれ延びる第２回転軸と、上記第２回転軸の一方の端部に上記第１ギアと係合するように支持された第２ギアとを有している、プリンタにおいて、上記ギアボックスに設けられ、上記第１ギアの上方に配置される第１カバーであって、上記第１ギアを覆い隠す閉鎖位置と上記第１ギアを露出させる開放位置との間で移動可能な第１カバーと、上記プラテンローラを上記ギアボックスに取り付けるときに、上記プラテンローラの上記第２ギアを上記ギアボックスの上記第１ギアに近接させる動作により、上記第１カバーを上記閉鎖位置から上記開放位置に移動させ、上記プラテンローラを上記ギアボックスから取り外すときに、上記プラテンローラの上記第２ギアを上記ギアボックスの上記第１ギアから離す動作により、上記第１カバーを上記開放位置から上記閉鎖位置に移動させる第１カバー開閉機構と、を具備することを特徴とする。
【０００８】
請求項２の発明では、請求項１の発明において、上記第１カバー開閉機構は、上記第２回転軸上で上記第２ギアに近接する位置に配置される押下部材であって、上記第２ギアの外周から外側へ突出する寸法を有する上記押下部材と、上記第１カバーに付設され、上記第１カバーを閉鎖位置へ向けて付勢する第１バネとを有し、
上記第１カバーは、上記プラテンローラを上記ギアボックスに取り付けるときに、上記押下部材に押し下げられることで、上記閉鎖位置から上記開放位置へ移動し、上記プラテンローラを上記ギアボックスから取り外すときに、上記第１バネの付勢力により、上記開放位置から上記閉鎖位置へ移動することを特徴とする。
【０００９】
請求項３の発明では、請求項１の発明において、上記プラテンローラを上記ギアボックスに対して揺動可能に支持する支持部材を更に有し、上記第１カバー開閉機構は、上記支持部材上で上記第２回転軸に近接する位置に形成される押下部と、上記第１カバーに付設され、上記第１カバーを閉鎖位置へ向けて付勢する第１ばねとを有し、上記第１カバーは、上記プラテンローラを上記ギアボックスに取り付けるときに、上記押下部に押し下げられることで、上記閉鎖位置から上記開放位置へ移動し、上記プラテンローラを上記ギアボックスから取り外すときに、上記第１バネの付勢力により、上記開放位置から上記閉鎖位置へ移動することを特徴とする。
【００１０】
請求項４の発明では、請求項１の発明において、上記プラテンローラを上記ギアボックスに対して揺動可能に支持する支持部材を更に有し、上記第１カバー開閉機構は、上記支持部材の回転動作を上記第１カバーに伝達する、歯車列を有する動作伝達機構を有し、
上記第１カバーは、上記プラテンローラを上記ギアボックスに取り付けるときに、上記歯車列が回転することで、上記閉鎖位置から上記開放位置へ移動し、上記プラテンローラを上記ギアボックスから取り外すときに、上記歯車列が回転することで、上記開放位置から上記閉鎖位置へ移動することを特徴とする。
【００１１】
請求項５の発明では、請求項１〜４のいずれか一つの発明において、上記第１カバーから独立して移動可能に上記ギアボックスに設けられ、上記第１回転軸及び上記第１ギアを覆い隠す閉鎖位置と上記第１回転軸及び上記第１ギアを露出させる開放位置との間で移動可能な第２カバーと、上記プラテンローラを上記ギアボックスに取り付けるときに、上記プラテンローラの上記第２ギアを上記ギアボックスの上記第１ギアに近接させる動作により、上記第２カバーを上記閉鎖位置から上記開放位置に移動させ、上記プラテンローラを上記ギアボックスから取り外すときに、上記プラテンローラの上記第２ギアを上記ギアボックスの上記第１ギアから離す動作により、上記第２カバーを上記開放位置から上記閉鎖位置に移動させる第２カバー開閉機構とをさらに具備することを特徴とする。
【００１２】
請求項６の発明では、請求項１〜５のいずれか一つの発明のプリンタを内蔵したことを特徴とする。
【発明の効果】
【００１３】
請求項１に記載の発明によれば、上記プラテンローラを上記ギアボックスに取り付けるときに、上記プラテンローラの上記第２ギアを上記ギアボックスの上記第１ギアに近接させる動作により、上記第１カバーを上記閉鎖位置から上記開放位置に移動させ、上記プラテンローラを上記ギアボックスから取り外すときに、上記プラテンローラの上記第２ギアを上記ギアボックスの上記第１ギアから離す動作により、上記第１カバーを上記開放位置から上記閉鎖位置に移動させる第１カバー開閉機構と、を具備するので、プラテンローラがギアボックスから取り外されたときであっても、第１ギアに砂等の異物が侵入することを軽減できる。
【００１４】
請求項２に記載の発明によれば、上記第１カバーは、上記プラテンローラを上記ギアボックスに取り付けるときに、上記押下部材に押し下げられることで、上記閉鎖位置から上記開放位置へ移動し、上記プラテンローラを上記ギアボックスから取り外すときに、上記第１バネの付勢力により、上記開放位置から上記閉鎖位置へ移動するので、第２ギアが第１カバーに触れる前に、押下部材が第１カバーに当たり、第１カバーを押し下げて開くので、第２ギアを傷めることがない。
【００１５】
請求項３に記載の発明によれば、上記第１カバーは、上記プラテンローラを上記ギアボックスに取り付けるときに、上記押下部材に押し下げられることで、上記閉鎖位置から上記開放位置へ移動し、上記プラテンローラを上記ギアボックスから取り外すときに、上記第１バネの付勢力により、上記開放位置から上記閉鎖位置へ移動するので、この構成によっても、プラテンローラがギアボックスから取り外されたときに、第１ギアに砂等の異物が侵入することを軽減できる。更に支持部材を回動するだけで容易にプラテンローラを着脱できる。
【００１６】
請求項４に記載の発明によれば、上記第１カバーは、上記プラテンローラを上記ギアボックスに取り付けるときに、上記歯車列が回転することで、上記閉鎖位置から上記開放位置へ移動し、上記プラテンローラを上記ギアボックスから取り外すときに、上記歯車列が回転するので、この構成によっても、プラテンローラがギアボックスから取り外されたときに、第１ギアに砂等の異物が侵入することを軽減できる。更に支持部材を回動するだけで容易にプラテンローラを着脱できる。
【００１７】
請求項５に記載の発明によれば、上記プラテンローラを上記ギアボックスに取り付けるときに、上記プラテンローラの上記第２ギアを上記ギアボックスの上記第１ギアに近接させる動作により、上記第２カバーを上記閉鎖位置から上記開放位置に移動させ、上記プラテンローラを上記ギアボックスから取り外すときに、上記プラテンローラの上記第２ギアを上記ギアボックスの上記第１ギアから離す動作により、上記第２カバーを上記開放位置から上記閉鎖位置に移動させる第２カバー開閉機構とをさらに具備するので、更に、第１ギアに砂等の異物が侵入することを軽減することができる。
【００１８】
請求項６に記載の発明によれば、請求項１〜５のいずれ一項に記載のプリンタを内蔵しているので、プリンタの第１ギア３に砂等の異物が侵入することを軽減でき、第２ギアを傷めることがない、携帯型端末装置を提供できる。
【発明を実施するための最良の形態】
【００１９】
図１は本発明の第一の実施形態のプリンタ１０１の斜視図を示し、図２は、本発明の第一の実施形態のプリンタ１０１のプラテンローラ１を外したときの図１のＡ方向から見た、プリンタ１０１の一部を省略した図であり、図３は、本発明の第一の実施形態のプリンタ１０１のプラテンローラ１を取り付けたときの図１のＡ方向から見た、プリンタ１０１の一部を省略した図である。図４は、第１カバー４の一例を示し、図５は、第１カバー４の更なる例を示し、図６は、押下部材７の他の取り付け位置を示す。
【００２０】
プリンタ１０１は、ギアボックス２と、上記ギアボックス２に対して着脱可能なプラテンローラ１を具備し、上記ギアボックス２は、第１回転軸１０と、上記第１回転軸に支持される第１ギア３とを有し、上記プラテンローラ１は、上記プラテンローラ１の長手方向の両端からそれぞれ延びる第２回転軸６と、上記第２回転軸６の一方の端部に上記第１ギア３と係合するように支持された第２ギア５とを有している。上記ギアボックス２に設けられ、上記第１ギア３の上方に配置される第１カバー４であって、上記第１ギア３を覆い隠す閉鎖位置（図２参照のこと）と上記第１ギアを露出させる開放位置（図３参照のこと）との間で移動可能な第１カバー４と、上記プラテンローラ１を上記ギアボックス２に取り付けるときに、上記プラテンローラ１の上記第２ギア５を上記ギアボックス２の上記第１ギア３に近接させる動作により、上記第１カバー４を上記閉鎖位置から上記開放位置に移動させ、上記プラテンローラ１を上記ギアボックス２から取り外すときに、上記プラテンローラ１の上記第２ギア５を上記ギアボックス２の上記第１ギア３から離す動作により、上記第１カバー４を上記開放位置から上記閉鎖位置に移動させる第１カバー開閉機構とを具備する。これにより、プラテンローラ１がギアボックス２から取り外されたときであっても、第１ギア３に砂等の異物が侵入することを軽減できる。
更に、上記第１カバー開閉機構は、上記第２回転軸６上で上記第２ギア５に近接する位置に配置される押下部材７であって、上記第２ギア５の外周から外側へ突出する寸法を有する上記押下部材７と、上記第１カバー４に付設され、上記第１カバーを閉鎖位置へ向けて付勢する第１バネ８とを有する。上記第１カバー４は、上記プラテンローラ１を上記ギアボックス２に取り付けるときに、上記押下部材７に押し下げられることで、上記閉鎖位置から上記開放位置へ移動し、上記プラテンローラ１を上記ギアボックス２から取り外すときに、上記第１バネ８の付勢力により、上記開放位置から上記閉鎖位置へ移動する。これにより、第２ギア５が第１カバー４に触れる前に、押下部材７が第１カバー４に当たり、第１カバー４を押し下げるので、第２ギア５を傷めることがない。
【００２１】
ここで、部材７を回転自由に取り付けることもできる。また、第１カバー４は例えば、図４のように、捩りコイルバネ８により付勢されていてもよい。また、第１カバー４は例えば、図５のように、図４の第１カバー４を二つ合わせた、観音開きのカバーとすることもできる。更に、図１では、押下部材７は、プラテンローラ１の第２ギア５に対して、プラテンローラ１とは反対側に設けられているが、図６のようにプラテンローラ１と第２ギア５の間に設けてもよい。
【００２２】
図７は、本発明の第二の実施形態のプリンタ２０１のプラテンローラ１を外したときの図１のＡ方向から見た、プリンタ２０１の一部を省略した図であり、図８は、プリンタ２０１のプラテンローラ１を取り付けたときの図１のＡ方向から見た、プリンタ２０１の一部を省略した図であり、図９は、第２カバー９の一例である。第２カバー９を有することを除き、第一の実施形態によるプリンタ１０１と実質的に同一の構成を有する。従って、対応する構成要素には、共通の参照符号を付してその説明を省略する。
【００２３】
プリンタ２０１の上記第１カバー４から独立して移動可能に上記ギアボックス２に設けられ、上記第１回転軸１０及び上記第１ギア３を覆い隠す閉鎖位置（図７参照のこと）と上記第１回転軸１０及び上記第１ギア３を露出させる開放位置（図８参照のこと）との間で移動可能な第２カバー９と、上記プラテンローラ１を上記ギアボックス２に取り付けるときに、上記プラテンローラ１の上記第２ギア５を上記ギアボックス２の上記第１ギア３に近接させる動作により、上記第２カバー９を上記閉鎖位置から上記開放位置に移動させ、上記プラテンローラ１を上記ギアボックス２から取り外すときに、上記プラテンローラ１の上記第２ギア５を上記ギアボックス２の上記第１ギア３から離す動作により、上記第２カバー９を上記開放位置から上記閉鎖位置に移動させる第２カバー開閉機構とをさらに具備するので、更に、第１ギア３に砂等の異物が侵入することを軽減することができる。ここで、第２カバー９は、例えば、図９に示すように、ガイド１１の間をスライドするように配置されているとともに、プラテンローラ１がギアボックス２から取り外されているときには、バネ１２により、第１回転軸１０から離れる方向に付勢されている。
【００２４】
図１０は、本発明の第三の実施形態のプリンタ３０１からプラテンローラ１を外したときの図１のＢ方向から見た、プリンタ３０１の一部と携帯型端末装置の筐体１１０１を模式的に示した図であり、図１１は、本発明の第三のプリンタ３０１にプラテンローラ１を取り付けたときの図１のＢ方向から見た、プリンタ３０１の一部と携帯型端末装置の筐体１１０１を模式的に示した図であり、図１２は、本発明の第三の実施形態の携帯型端末装置の図１のＣ方向から見た、プリンタ３０１の一部と携帯型端末装置の筐体１１０１を省略した斜視図である。図１３は、図１０の第１カバー３０４を蛇腹に変えたときの図であり、図１４は、図１１の第１カバー３０４を蛇腹に変えたときの図である。ギアカバー３０４の形状が異なることと、支持部材１３と携帯型端末装置の筐体１１０１を有することを除き、プリンタ３０１は、第一の実施形態によるプリンタ１０１と実質的に同一の構成を有する。従って、対応する構成要素には、共通の参照符号を付してその説明を省略する。
【００２５】
プリンタ３０１は、上記プラテンローラ１を上記ギアボックス２に対して揺動可能に支持する支持部材１３を更に有し、上記第１カバー開閉機構は、上記支持部材上で上記第２回転軸６に近接する位置に形成される押下部１６と、上記第１カバー３０４に付設され、上記第１カバー３０４を閉鎖位置へ向けて付勢する第１ばね８とを有し、上記第１カバー３０４は、上記プラテンローラ１を上記ギアボックス２に取り付けるときに、上記押下部１６に押し下げられることで、上記閉鎖位置（図１０参照のこと）から上記開放位置（図１１参照のこと）へ移動し、上記プラテンローラ１を上記ギアボックス２から取り外すときに、上記第１バネ８の付勢力により、上記開放位置から上記閉鎖位置へ移動する。この構成によっても、プラテンローラ１がギアボックス２から取り外されたときに、第１ギア３に砂等の異物が侵入することを軽減できる。更に支持部材１３を回動するだけで容易にプラテンローラ１を着脱できる。なお、本発明の第二の実施形態の第２カバー１０を更に有することもできる。この場合には、第１ギア３に砂等の異物が侵入することを更に軽減することができる。
【００２６】
より詳細に説明すると、上記プラテンローラ１を上記ギアボックス２に取り付けるための支持部材１３を更に有し、上記支持部材１３は、第３回転軸１５を有し、上記第３回転軸１５の一端には第１腕２２が、他端には第２腕２３が設けられている。上記第３回転軸１５は、上記携帯型端末装置の筐体１１０１を貫通するように設けられた第１穴部１８に、回転可能に配置され、上記第１腕２２および第２腕２３がそれぞれ、上記携帯型端末装置の筐体１１０１の両端から突出した上記第３回転軸１５の両端に配置されるようにされていて、上記第１腕２２は、押下部１６と第２穴部１４を有し、上記第２腕は第３穴部２４を有する。更に、上記第２穴部１４には、上記プラテンローラ１の第２ギア５に近接する第２回転軸６が、回転可能に取り付けられ、上記第３穴部２４には、第２ギア５に近接する第２回転軸６と、上記プラテンローラ１を挟んで反対側の回転軸６が、回転可能に取り付けられている。上記第１カバー３０４は、上記第１カバー３０４を閉じるように付勢する第１バネ８と、上記押下部１６と協働して、上記第１カバー３０４を開くようにされた突起部１７とを有する。なお、第１カバー３０４を蛇腹に変えた変形例が図１３（閉鎖位置）と図１４（開放位置）で示されている。第１カバー３０４を蛇腹に変えただけで、他の構成、動作は上述のプリンタ３０１と同じである。
【００２７】
図１５は、本発明の第四の実施形態のプリンタ４０１からプラテンローラ１を外したときの図１のＢ方向から見た、プリンタ４０１の一部と携帯型端末装置の筐体１１０２を模式的に示した図であり、図１６は、本発明の第四の実施形態のプリンタ４０１にプラテンローラ１を取り付けたときの図１のＢ方向から見た、プリンタ４０１の一部と携帯型端末装置の筐体１１０２を模式的に示した図であり、図１７は、本発明の第四の実施形態のプリンタ４０１の図１のＣ方向から見た、プリンタ４０１の一部と携帯型端末装置筐体１１０２を省略した斜視図である。図１８は、図１５の第１カバー４０４を蛇腹に変えたときの図であり、図１９は、図１６の第１カバー４０４を蛇腹に変えたときの図である。第１カバー４０４の形状が異なることと、支持部材１３と歯車列１９、２６、２５、２７と携帯型端末装置の筐体１１０２を有することを除き、プリンタ４０１は、第一の実施形態によるプリンタ１０１と実質的に同一の構成を有する。従って、対応する構成要素には、共通の参照符号を付してその説明を省略する。
【００２８】
プリンタ４０１の上記プラテンローラ１を上記ギアボックス２に対して揺動可能に支持する支持部材１３を更に有し、上記第１カバー開閉機構は、上記支持部材１３の回転動作を上記第１カバー４０４に伝達する、歯車列１９、２６、２５、２７を有する動作伝達機構を有する。上記第１カバー４０４は、上記プラテンローラ１を上記ギアボックス２に取り付けるときに、上記歯車列１９、２６、２５、２７が回転することで、上記閉鎖位置（図１５参照のこと）から上記開放位置（図１６参照のこと）へ移動し、上記プラテンローラ１を上記ギアボックス２から取り外すときに、上記歯車列１９、２６、２５、２７が回転することで、上記開放位置から上記閉鎖位置へ移動する。この構成によっても、プラテンローラがギアボックスから取り外されたときに、第１ギアに砂等の異物が侵入することを軽減できる。更に支持部材１３を回動するだけで容易にプラテンローラ１を着脱できる。なお、本発明の第二の実施形態の第２カバー１０を更に有することもできる。この場合には、第１ギア３に砂等の異物が侵入することを更に軽減することができる。
【００２９】
より詳細に説明すると、上記プラテンローラ１を上記ギアボックス２に取り付けるための支持部材１３を更に有し、上記支持部材１３は、第３回転軸１５を有し、上記第３回転軸１５の一端には第１腕２２が、他端には第２腕２３が設けられていて、上記第３回転軸１５は、上記携帯型端末装置の筐体１１０２を貫通するように設けられた第１穴部１８に、回転可能に配置され、上記第１腕２２および第２腕２３がそれぞれ、上記携帯型端末装置の筐体１１０２の両端から突出した上記第３回転軸１５の両端に配置されるようにされている。上記第１腕２２の上記携帯型端末装置の筐体１１０２がある側とは反対側に、第３ギア１９を有し、第１カバー４に近接する携帯型端末装置の筐体１１０２に、第４ギア２５が設けられるとともに、第３ギア１９から第４ギア２５の間には、第４ギア２５に回転力を伝達するようにそれぞれに係合されたギア２６が設けられている。上記第１腕２２は、第２穴部１４を有し、上記第２腕２３は第３穴部２４を有すると共に、上記第２穴部１４には、上記プラテンローラ１の第２ギア５が近接する第２回転軸６が、回転可能に取り付けられ、上記第３穴部２４には、第２ギア５が近接する第２回転軸６と、上記プラテンローラ１を挟んで反対側の第２回転軸６が、回転可能に取り付けられている。そして、上記第１カバー４０４は、第４ギア２５と係合して、上記第１カバー４０４を開閉するようにされたギア２７を有する。なお、第１カバー４０４を蛇腹に変えた変形例が図１８（閉鎖位置）と図１９（開放位置）で示されている。第１カバー４０４を蛇腹に変えただけで、他の構成、動作は上述のプリンタ４０１と同じである。
【００３０】
図２０は、本発明の第五の実施形態の携帯型端末装置１００１の斜視図を示す。携帯型端末装置１００１は、本発明の第一〜四の実施形態のいずれか一つのプリンタを組み込んでいるので、プリンタの第１ギア３に砂等の異物が侵入することを軽減でき、第２ギア５を傷めることがない、携帯型端末装置１００１を提供できる。
【図面の簡単な説明】
【００３１】
【図１】本発明の第一の実施形態のプリンタの斜視図を示す。
【図２】本発明の第一の実施形態のプリンタのプラテンローラを外したときの図１のＡ方向から見た、プリンタの一部を省略した図である。
【図３】本発明の第一の実施形態のプリンタのプラテンローラを取り付けたときの図１のＡ方向から見た、プリンタの一部を省略した図である。
【図４】第１カバーの一例を示す図である。
【図５】第１カバーの更なる例を示す図である。
【図６】押下部材の他の取り付け位置を示す図である。
【図７】本発明の第二の実施形態のプリンタのプラテンローラを外したときの図１のＡ方向から見た、プリンタの一部を省略した図である。
【図８】本発明の第二の実施形態のプリンタのプラテンローラを取り付けたときの図１のＡ方向から見た、プリンタの一部を省略した図である。
【図９】第２カバーの一例を示した図である。
【図１０】本発明の第三の実施形態のプリンタからプラテンローラを外したときの図１のＢ方向から見た、プリンタの一部と携帯型端末装置の筐体を模式的に示した図である。
【図１１】発明の第三の実施形態のプリンタにプラテンローラを取り付けたときの図１のＢ方向から見た、プリンタの一部と携帯型端末装置の筐体を模式的に示した図である。
【図１２】本発明の第三の実施形態のプリンタの図１のＣ方向から見た、プリンタの一部と携帯型端末装置の筐体を省略した斜視図である。
【図１３】図１０の第１カバーを蛇腹に変えたときの図である。
【図１４】図１１の第１カバーを蛇腹に変えたときの図である。
【図１５】本発明の第四の実施形態のプリンタからプラテンローラを外したときの図１のＢ方向から見た、プリンタの一部と携帯型端末装置の筐体を模式的に示した図である。
【図１６】本発明の第四の実施形態のプリンタにプラテンローラを取り付けたときの図１のＢ方向から見た、プリンタの一部と携帯型端末装置の筐体を模式的に示した図である。
【図１７】本発明の第四の実施形態のプリンタの図１のＣ方向から見た、プリンタの一部と携帯型端末装置の筐体を省略した斜視図である。
【図１８】図１５の第１カバーを蛇腹に変えたときの図である。
【図１９】図１６の第１カバーを蛇腹に変えたときの図である。
【図２０】本発明の第五の実施形態の携帯型端末装置の斜視図である。
【符号の説明】
【００３２】
１    プラテンローラ
２    ギアボックス
３    第１ギア
４    第１カバー
５    第２ギア
６    第２回転軸
７    押下部材
１０    第１回転軸
【図１】
2008246987.tif 000003
【図２】
2008246987.tif 000004
【図３】
2008246987.tif 000005
【図４】
2008246987.tif 000006
【図５】
2008246987.tif 000007
【図６】
2008246987.tif 000008
【図７】
2008246987.tif 000009
【図８】
2008246987.tif 000010
【図９】
2008246987.tif 000011
【図１０】
2008246987.tif 000012
【図１１】
2008246987.tif 000013
【図１２】
2008246987.tif 000014
【図１３】
2008246987.tif 000015
【図１４】
2008246987.tif 000016
【図１５】
2008246987.tif 000017
【図１６】
2008246987.tif 000018
【図１７】
2008246987.tif 000019
【図１８】
2008246987.tif 000020
【図１９】
2008246987.tif 000021
【図２０】
2008246987.tif 000022